(57)【要約】【課題】開口状態に於いて、紐が器体の隅へ退けられてレジでの精算作業の邪魔にならず、閉じ状態では、底壁を折畳んで平らな状態にできる器体を提供する。【解決手段】寄り壁1の滑移動穴2へ可滑移動状態で通した紐3を屈壁4の側穴5へ通し、紐3は滑移動穴2の中で滑り移動して屈壁4の屈線11が連動して屈伸し、屈壁4を平たく伸ばす事で紐3は滑移動穴2の側端へ移動するので器体6の隅へ退けられ、器体6を平たく折畳む事ができる構造として、底壁7に三角折線8を線対称で入れ、底折線15と共に折畳む。【選択図】  図１
2009096524.tif 000002
【特許請求の範囲】
【請求項１】
寄り壁1の滑移動穴2へ可滑移動状態で通した紐3を屈壁4の側穴5へ通し、紐3の滑移動穴2の中での滑り移動と屈線11を介する屈壁4の屈伸は連動し、器体6は平たく折畳む事ができる構造にした事を特徴とした滑移動穴器。
【請求項２】
器体6は平たく折畳む事ができる構造として、底壁7に三角折線8を設けた事を特徴とした請求項１記載の滑移動穴器。
【発明の詳細な説明】
【技術分野】
【０００１】
本発明は、紐を器体の隅へ退ける事のできる紙袋状の器に関する物である。
【背景技術】
【０００２】
従来の紐退け器は、滑穴へ通した紐を返し帯と覆壁との隙間を擦り抜けさせて屈壁の側穴で固定し、返し帯の押さえによって紐を器体の隅へ退けさせる構造の物であった。
【特許文献１】特願２００７−０５７９６８号
【特許文献２】特願２００７−２１１７０１号
【発明の開示】
【発明が解決しようとする課題】
【０００３】
従来の物は、返し帯の隙間へ紐を通す構造なので、通し難い紐を通すために棒状の通し具が必要であり、破れやすい紙を素材に用いる場合は、重たい物を器体に収納すると、滑穴や返し帯の部分が破れたりする問題点があり、器体を平たく折畳むための三角線は屈壁にも有しており、三角線の頂点が屈線と交差しているので屈壁が平たい状態に伸びにくい問題点があり、これら従来技術の問題点の解決を課題とする。
【課題を解決するための手段】
【０００４】
寄り壁を貫通させて設けた滑移動穴へ通した紐を屈壁の側穴へ通し、滑移動穴内での紐の滑り移動と屈壁の屈伸とを連動させ、底壁にだけ三角折線を設けて器体を平たく折畳む構造にする。
【発明の効果】
【０００５】
滑移動穴は貫通穴である事から、紐を通すための道具を用いなくても素手で楽に通す事ができ、紐を押さえつけて隅へ退ける構造ではないので、集中して力の加わる加圧場所は分散され、紙を素材に用いても対応でき、三角折線を底壁にだけ設けている事から、屈壁の屈線と交差する折線はないので、底壁を平らにすれば、その作用が伝動して屈壁も平らな状態になる。
【発明を実施するための最良の形態】
【０００６】
最良の形態を、図１から図４を参照しながら、以下の実施例で説明する。
【実施例１】
【０００７】
図１は、開口状態要部透視上面斜視図であり、寄り壁1方を前後方向の縦とし、屈壁4方を左右方向の横とし、透視線は破線、折線は一点鎖線で表示し、山折谷折で表示する折り曲げ方向は外からを基準にし、器体6は天面の開口部9を開口した立方体を含む直方体であり、前後に対面して成る対の寄り壁1、左右へ対面してなる屈壁4、寄り壁1と屈壁4との下辺に隣接する矩形（正方形を含む）の底壁7、前記五枚の壁で器体6を形成し、器体6の上部領域は単層であっても良いが、器体6の天縁を延長して折り返して合着する事で補強帯10とする事が望ましく、補強帯10は外側へ折り返しても良いが、内側へ折り返す事が望ましく、補強帯10へ厚紙などの硬板を重合する事で補強能力を向上させる事が望ましく、硬板はプラスチック製であっても良く、器体6の形成方法は限定ではないが、屈壁4の底辺と屈線11箇所を合着しても良いが、従来の紙袋と同じ成形方法が望ましく、合着方法は限定ではないが、接着である事が望ましく、粘着、溶着、場合によっては縫合や嵌合であっても良く、寄り壁1の上部へ補強帯10と共に全層を貫通した滑移動穴2を打ち抜き、滑移動穴2は一枚の寄り壁1上で左右線対称の二箇所有する事が望ましく、滑移動穴2の形状は紐3が滑って移動できるのであれば限定ではないが、外側方向へ適宜に下がった部分的な直線の溝形状である事が望ましく、傾斜角度は限定ではないが、水平から三十度程度持ち上がった状態がある程度適しており、打ち抜いた溝の幅は紐3が難なく滑り移動できるならば問題なく、溝形状の滑移動穴2の両端は円形で、その円の直径と同寸幅の二本の平行直線で棒状溝にする事が望ましく、一枚の寄り壁1上での滑移動穴2はハの字形状で位置し、滑移動穴2は平行直線の溝形状の他、斜め上へ行くに従って細くなって最終的には切込になる雨粒形状であっても良く、雨粒形状にすれば紐3が引き上げられた状態で切込に挟み込んで固定でき、滑移動穴2は斜め直線の他に傾斜した凸レンズ形状や角の丸い鍵括弧形状であっても良いしＳ字形状であっても良く、屈壁4へ上下に縦断する屈線11を入れ、屈線11は山折線であっても良いが谷折線が望ましく、本数は複数であっても良いが、屈壁4の中央を垂直に貫く谷折線である事が望ましく、屈壁4に開ける側穴5は単数であっても良いが複数である事が望ましく、複数であるならば屈線11を中心線とする線対称で二個設ける事が望ましく、側穴5の上下位置は限定ではないが補強帯10の屈壁4側領域である側補強域12下部に設ける事が望ましく、側穴5の形状は円形である事が望ましいが限定ではなく、楕円形や棒状の溝であっても良く、屈壁4の補強帯10の部分領域である側補強域12に於いても硬板を重合して合着する事が望ましく、側補強域12全体に硬板を合着しても良いし側穴5の位置する下半分に合着しても良く、屈線11から外れた隣接箇所へ台形或いは半円形の凸片形状の切込を入れて凸片を形成しても良く、凸片を形成すれば屈壁4の伸直（伸びて真っ直ぐ）状態を保持し易くでき、紐3は断面が丸い丸紐である事が望ましいが、断面が平たい平紐であってもテープ形状であっても良く、紐3の長さは少なくても器体6の開口部9の周囲よりも長い事が必要で、側穴5よりも大きな玉結びをして塞き止め状態で取り付けても良いが、紐3の両端を結合部で結合して輪にする事���望ましく、前記結合部は一箇所であっても良いが反対側へ調節部13を設けて紐3の輪の大きさを調節する事が望ましく、結合部と調節部は結ぶ事が望ましいが縫合やコードストッパーなどで固定しても良く、紐3の取り付け方は中央箇所に調節部13を形成して一方の紐3を器体6の外から一方の屈壁4の側穴5から内へ入れ、一方の滑移動穴2から外へ出して他方の滑移動穴2から内へ入れ、他方の屈壁4の側穴5から外へ出し、残り半分の紐3に於いても面対象で同様の手順で通し、最後に紐3の端を結合部で結合して輪にする事が望ましく、器体6の開口状態でレジの横へセットして精算を終えたカゴ内の商品を器体6へ順次詰め込むのであり、器体6の開口状態では屈線11が伸直状態か極めて浅く折れ曲がった状態なので紐3は滑移動穴2の横方向外側（屈壁側）へ位置し、又、滑移動穴2は横方向外側へ低く傾斜しているので重力によっても外側へ滑り落ち、紐3は滑移動穴2の外側へ位置する事から器体6の隅へ退けられた状態になっているのでレジでの精算済み商品の詰め込作業の邪魔にならず、器体6を形成する素材は紙袋に使用されている紙が望ましいのであるが限定ではなく、厚紙、段ボール紙、ユポやポリなどのプラスチック、不織布、織り布などの素材であっても良い。
【実施例２】
【０００８】
図２は、閉じ過程要部透視上面斜視図であり、図示していないが実際には器体6内部には精算済みの商品を収納しており、この商品の重みを利用して器体6の開口部9を閉じるのであり、滑移動穴2間の紐3の部分領域を取手域14とし、取手域14を引き上げる事で紐3は滑移動穴2の斜め上内方へ滑って移動する事の連動で屈線11は谷折りされて屈壁4は内方へ折れ曲がり、滑移動穴2の内側へ紐3が移動した事で滑移動穴2間の距離は短くなる事から曲がりにくくなり、閉じ過程で紐3が接している側穴5と滑移動穴2の内側に外圧が加わっているが、両方の箇所共に補強帯10で補強されており、補強帯10内部には硬板を合着してあるので更に補強能力は向上し、器体6への収納物が多い場合は滑移動穴2の内側への外圧が強くなり、滑移動穴2と寄り壁1上縁との間を広くする事で強度は保たれ、調節部13の位置を変えたり場合によっては解いたりする事で紐3の長さを調節し、手提げにしたり肩掛けにしたりできる。
【実施例３】
【０００９】
図３は、閉じ過程側底面斜視図であり、寄り壁1どうしを寄り添わせて行き、屈壁4の屈線11を折り曲げて行くと、底壁7が屈壁4の折り曲げの妨げとなるので、その妨げを回避する方法として、従来の紙袋では屈壁4に三角折線8を入れて一方の寄り壁1の下部へ水平な谷折線を入れて折畳む構造であったが、本発明物の器体6は平たく折畳んだ状態で紐3を肩に掛ける使用状態を目的にしており、従来の紙袋方式で底壁7を寄り壁1方へ折り曲げたのでは底壁7が腕に当たって邪魔になり、その問題解決方法として底壁7を折畳む事にし、屈線11の下端どうしを連絡する直線を底折線15とし、屈壁4の下両角から底折線15へ向けた谷折線を入れて三角折線8を形成し、三角折線8は底折線15を頂点とする直角二等辺三角形である事が望ましく、底折線15は一本の直線であり、その折り曲げ方向は三角折線8の頂点どうしを連絡する中央領域は谷折であり、三角折線8頂点と屈線11下端との連絡線は山折であり、取手域14を引き上げて屈線11を折り曲げて行く事で、底折線15の中央領域は谷折されて折り上がり、底折線15の両端領域は垂直に垂れてくるので、底折線15を寄り壁1方向の正面から透視状態で見ると櫓（やぐら）形状に成り、三角折線8を谷折形状で底面7へ設けた事で、器体6を平らに折畳む事ができ、取手域14を肩に掛けて持ち歩いても底壁7は邪魔にならず、肩掛けにした事で両手が開き、買い物カゴを手に持って商品を選ぶ事ができる。
【実施例４】
【００１０】
図４は、前底面斜視図であり、底壁7は一枚の板であっても良いが、従来の紙袋と同じ形成構造が望ましく、屈壁4下辺隣接側の底壁7の部分領域を折り込む事で寄り壁1下辺隣接域に合着片16を形成し、対辺の位置関係で有する合着片16どうしを従来の紙袋と同じ構造で合着し、合着された合着片16の袋折縁を支えにして谷折する事で三角折線8を形成し、三角折線8の頂点角は直角を成し、底壁7を前後に二等分する水平線で底折線15を入れ、三角折線8の頂点どうしを繋ぐ底折線15は谷折線にし、三角折線8内の底折線15は山折線にして底壁7は折畳まれる。
【図面の簡単な説明】
【００１１】
【図１】開口状態要部透視上面斜視図（実施例１）
【図２】閉じ過程要部透視上面斜視図（実施例２）
【図３】閉じ過程側底面斜視図（実施例３）
【図４】前底面斜視図（実施例４）
【符号の説明】
【００１２】
１  寄り壁
２  滑移動穴
３  紐
４  屈壁
５  側穴
６  器体
７  底壁
８  三角折線
11  屈線
【図１】
2009096524.tif 000003
【図２】
2009096524.tif 000004
【図３】
2009096524.tif 000005
【図４】
2009096524.tif 000006